(57)【要約】      （修正有）【課題】熱管内の毛細構造の破壊を防ぐとともに、製造コストを低減でき、熱管の薄型化を実現することのできる薄型熱管構造を提供する。【解決手段】薄型熱管構造１は、少なくとも１つの収容空間１１１と、この少なくとも１つの収容空間１１１の両側を封止する第１シールエッジ１１２及び第２シールエッジ１１３とを有し、前記第１シールエッジ１１２及び第２シールエッジ１１３が前記収容空間１１１に連通し、前記収容空間１１１内に作動流体を充填する管体１１と、前記収容空間１１１内に設置され、前記収容空間１１１と共同で第１チャンバ及び第２チャンバを形成し、前記第１チャンバ及び第２チャンバが前記管体１１内に長手方向に設置される第１支持体１２と、有する。【選択図】図１
0003170525.tif 000002
【実用新案登録請求の範囲】
【請求項１】
少なくとも１つの収容空間と、この少なくとも１つの収容空間の両側を封止する第１シールエッジ及び第２シールエッジとを有し、前記第１シールエッジ及び第２シールエッジが前記収容空間に連通し、前記収容空間内に作動流体を充填する管体と、
前記収容空間内に設置され、前記収容空間と共同で第１チャンバ及び第２チャンバを形成し、前記第１チャンバ及び第２チャンバが前記管体内に長手方向に設置される第１支持体と、
を具備したことを特徴とする薄型熱管構造。
【請求項２】
更に、第１毛細構造を有し、前記第１毛細構造は、前記収容空間内において前記第１支持体と貼付し、共同で前記第１チャンバ及び第２チャンバを形成することを特徴とする請求項１に記載の薄型熱管構造。
【請求項３】
前記管体が扁平状を呈することを特徴とする請求項１に記載の薄型熱管構造。
【請求項４】
前記第１毛細構造は、焼結粉末体と、メッシュ体と、繊維体と、発泡体との何れか１つであることを特徴とする請求項２に記載の薄型熱管構造。
【請求項５】
前記管体内側の壁面に第２毛細構造を設け、前記第２毛細構造は、焼結粉末体と、複数の溝との何れかであることを特徴とする請求項１に記載の薄型熱管構造。
【請求項６】
更に、前記第１支持体を覆う第１毛細構造を有することを特徴とする請求項１に記載の薄型熱管構造。
【請求項７】
前記第１支持体は、メッシュ体と、表面に凹凸体を有する板材と、波浪板体との何れか１つであることを特徴とする請求項１に記載の薄型熱管構造。
【請求項８】
前記第１毛細構造は、前記第１支持体の一側に貼付され、前記収容空間が更に第３毛細構造を有し、
前記第３毛細構造は、前記第１支持体の前記第１毛細構造を有する他側に貼付され、焼結粉末体と、メッシュ体と、繊維体と、発泡体との何れか１つであることを特徴とする請求項６に記載の薄型熱管構造。
【考案の詳細な説明】
【技術分野】
【０００１】
本考案は、薄型熱管構造に関し、特に、薄型化を実現し、熱伝導効率を向上できる薄型熱管構造に関する。
【背景技術】
【０００２】
熱管の熱伝導率は、銅、アルミ等の金属の数倍〜数十倍であり、相当優れている。このため、熱管は、冷却用部材として各種熱対策関連機器に運用されている。形状から見て、熱管は、円管状の熱管と、平面形状の熱管とに分けることができる。
【０００３】
ＣＰＵ等の電子機器の被冷却部品を冷却する為、被冷却部品に取り付け易く、且つ広い接触面積を得られるという観点からすると、平面形状の熱管を使用して放熱を行っている。冷却機構の小型化、省スペース化に伴い、熱管の冷却機構を使用する状況においては、該熱管の極薄型化が更に要求されている。
【０００４】
このような熱管を有する冷却機構は、通常、熱管内部に空間を設け、作動流体の流路とし、該空間内に収容する作動流体が蒸発、冷凝等の相変化及び移動等により、熱の転移を行う。続いて、熱管の構成及び動作を詳細に説明すると、熱管は、密封された空洞部を具備し、該空洞部に収容する作動流体の相変化及び移動により熱の転移を行う。
【０００５】
従って、製造業者は、熱管を導熱の部材として採用し、熱管をヒートシンクフィン中に設けている。この熱管を有する冷却機構では、熱管内部に充填した低沸点の作動液体を利用し、発熱電子部材箇所（蒸発端）において、吸熱蒸発し、ヒートシンクフィンに移動し、ヒートシンクフィン箇所（冷凝端）おいて、発熱電子部材が発生する熱量をヒートシンクフィンに伝達し、放熱ファンを利用して発生する熱量を逃がすことにより、電子部材に対する放熱を行っている。
【０００６】
熱管の製造方法は、中空管体中に金属粉末を充填し、該金属粉末を焼結する方式により該中空管体内壁に毛細構造層に形成し、その後、該管体に対し真空吸引を行い、作動流体を充填し、最後に管を密閉するようにして熱管を製造しているが、電子設備の薄型化の需要に応じ、熱管を薄型に製造する必要がある。
【０００７】
従来技術は、熱管を構成する中空管体を平板状に圧延し、薄型化の要求に適合させ、その後、毛細焼結体を該中空管体内に設置し、更に作動流体を充填し、真空吸引し、管を密閉する作業を行って製造している。しかし、この製造方法は、熱管を扁平状に形成することができるが、熱管に対して湾折造形を行う時、内部の毛細焼結体が、脆化分解又は元設置部位から脱離し不良品となってしまう虞がある。
【０００８】
また、ある製造業者は、熱管を薄型に製造する時、先ず、熱管を粉末充填焼結後、該熱管を扁平状に圧延し、その後、作動流体を充填した後、最後に管を密閉して製造したり、或いは、先ず熱管の管体を扁平状に圧延した後、粉末充填焼結作業を行ったりして製造するが、管体内部のチャンバは、極めて狭いので、粉末充填作業の施工が容易でなく、熱管内の毛細構造に同時に支持及び毛細力伝導使用を兼ね具えるには、狭い空間内では、効果が有限である。  
更に、熱管内部の蒸気経路は、狭過ぎることにより気液循環に影響を及ぼし、このようなプロセス及び構造は、甚だ不適当である。
【考案の概要】
【考案が解決しようとする課題】
【０００９】
従って、従来技術では、熱管の薄型化が容易でなく、熱管内の毛細構造を破壊し易く、さらに、製造コストが比較的高いといった問題点があった。
【００１０】
本考案の目的は、熱管内の毛細構造の破壊を防ぐとともに、製造コストを低減でき、熱管の薄型化を実現することのできる薄型熱管構造を提供することにある。
【課題を解決するための手段】
【００１１】
上記の目的を達成する為、本考案に係る薄型熱管構造は、少なくとも１つの収容空間と、この少なくとも１つの収容空間の両側を封止する第１シールエッジ及び第２シールエッジとを有し、前記第１シールエッジ及び第２シールエッジが前記収容空間に連通し、前記収容空間内に作動流体を充填する管体と、前記収容空間内に設置され、前記収容空間と共同で第１チャンバ及び第２チャンバを形成し、前記第１チャンバ及び第２チャンバが前記管体内に長手方向に設置される第１支持体と、を具備している。
【考案の効果】
【００１２】
本考案の薄型熱管構造によれば、熱管内の毛細構造の破壊を防ぐとともに、製造コストを低減でき、熱管の薄型化を実現することのでき、熱伝導効率を大幅に向上することができる。
【図面の簡単な説明】
【００１３】
【図１】本考案の第１実施例に係る薄型熱管構造の立体分解図である。
【図２】第１実施例に係る薄型熱管構造の立体組み合わせ図である。
【図３】第1実施例に係る第１支持体の立体図である。
【図４】第1実施例に係る第１支持体の立体図である。
【図５】第1実施例に係る第１支持体の立体図である。
【図６】本考案の第２実施例に係る薄型熱管構造の管体の断面図である。
【図７】本考案の第３実施例に係る薄型熱管構造の管体の断面図である。
【図８】本考案の第４実施例に係る薄型熱管構造の管体の断面図である。
【図９】本考案の第５実施例に係る薄型熱管構造の管体の断面図である。
【図１０】本考案の第６実施例に係る薄型熱管構造の管体の断面図である。
【図１１】第６実施例に係る薄型熱管構造の第１毛細構造の平面図である。
【図１２】第６実施例に係る薄型熱管構造の第３毛細構造の平面図である。
【考案を実施するための形態】
【００１４】
本考案の上記目的及びその構造及び機能上の特性について、図面に基づく好適実施例を挙げ、以下に説明する。
【００１５】
（第１実施例）
図１〜図５は、本考案の薄型熱管構造の第１実施例に係り、図１は、第１実施例に係る薄型熱管構造の立体分解図、図２は、第１実施例に係る薄型熱管構造の立体組み合わせ図、図３〜図５は、第1実施例に係る第１支持体の立体図である。
【００１６】
図１〜図３に示すように、本実施例に係る薄型熱管構造１は、管体１１と、第１支持体１２と、を有して構成される。
【００１７】
前記管体１１は、少なくとも１つの収容空間１１１と、この少なくとも１つの収容空間１１１の両側を封止する第１シールエッジ１１２及び第２シールエッジ１１３とを有し、前記第１シールエッジ１１２及び第２シールエッジ１１３が収容空間１１１に連通し、収容空間１１１内に作動流体２を充填して構成される。
【００１８】
前記第１支持体１２は、複数のメッシュ１２１を有して構成され、前記収容空間１１１内に設置される。  
前記第１支持体１２は、メッシュ体（図３参照）と、表面に凹凸体を有する板材（図４参照）と、波浪板体（図５参照）との何れか１つを用いて構成される。  
尚、第１支持体１２は、メッシュ体、表面に凹凸体を有する板材、及び波浪板体に限定されるものではない。
【００１９】
本実施例の薄型熱管構造１は、上記のように、予め平面形状の管体１１を形成し、この管体１１の収容空間１１１内に第１支持体１２を設置するとともに、この収容空間１１１内に作動流体２を充填し、第１シールエッジ１１２及び第２シールエッジ１１３によって収容空間１１１を封止することにより製造される。  
このような構造を有しているため、従来技術よりも容易に、しかも薄型に熱管構造を製造できる。また、管体１１内に第１支持体１２を設置することにより、管体１１内に、長手方向の軸方向に大きなチャンバを形成できるので、熱伝導効率を大幅に向上することができる。
【００２０】
従って、第１実施例によれば、上記構成の管体１１と、第１支持体１２とを有して薄型熱管構造１を構成しているので、熱管内の毛細構造の破壊を防ぐとともに、製造コストを低減でき、熱管の薄型化を容易に実現することができる。
【００２１】
（第２実施例）
図６は、本考案の第２実施例に係る薄型熱管構造の管体の断面図である。  
尚、図６は、前記第１実施例と同一の構成要素については同一の符号を付して説明を省略し、異なる部分のみを説明する。
【００２２】
第２実施例に係る薄型熱管構造１は、前記第１実施例の薄型熱管構造の構成要素の他に、更に第１毛細構造１３を有して構成される。  
図６に示すように、前記第１毛細構造１３は、管体１１の収容空間１１１内に設置される。このとき、第１毛細構造１３は、前記第１支持体１２の一側に貼付され、該第１支持体１２及び収容空間１１１は、共同で第１チャンバ１１１１及び第２チャンバ１１１２を形成する。  
前記第１チャンバ１１１及び第２チャンバ１１１２は、該管体１１内に長手方向に設置される。
【００２３】
前記第１毛細構造１３は、例えば、焼結粉末体と、複数の溝と、メッシュ体と、繊維体と、発泡体との何れか１つを用いて構成されたものであり、本実施例では、焼結粉末体を用いて第１毛細構造１３を構成したものとして説明するが、これに限定されるものではない。
【００２４】
従って、第２実施例によれば、更に第１毛細構造１３を有し、第１支持体１２及び収容空間１１１が、共同で第１チャンバ１１１１及び第２チャンバ１１１２を形成する構成により、管体１２に対して湾折造形を行った場合でも、第１毛細構造１３及び第１支持体１２が不良品にならずに、熱管内の毛細構造の破壊を防ぐことができる。また、製造コストを低減でき、熱管の薄型化を実現することができるとともに、歩留まりを向上できるだけでなく、熱伝導効率を大幅に向上することができる。
【００２５】
（第３実施例）
図７は、本考案の第３実施例に係る薄型熱管構造の管体の断面図である。  
尚、図７は、前記第１実施例と同一の構成要素については同一の符号を付して説明を省略し、異なる部分のみを説明する。
【００２６】
第３実施例に係る薄型熱管構造１は、前記第１実施例の薄型熱管構造の構成要素の他に、更に第１毛細構造１３を有して構成される。  
図７に示すように、前記第１毛細構造１３は、前記第２実施例（図６参照）と同様に管体１１の収容空間１１１内に設置されるが、第１支持体１２の外部を覆うように設けられている。即ち、第１支持体１２は、第１毛細構造１３によって外部が覆われている。  
従って、第３実施例によれば、第１毛細構造１３を第１支持体１２の外部を覆うように設けて構成した場合でも、前記第２実施例と同様の効果が得られる。
【００２７】
（第４実施例）
図８は、本考案の第４実施例に係る薄型熱管構造の管体の断面図である。  
尚、図８は、前記第１実施例と同一の構成要素については同一の符号を付して説明を省略し、異なる部分のみを説明する。
【００２８】
第４実施例に係る薄型熱管構造１は、前記第１実施例の薄型熱管構造の構成要素の他に、更に第２毛細構造３を有して構成される。
【００２９】
図８に示すように、前記第２毛細構造３は、前記管体１１内側の壁面に設けられている。尚、第２毛細構造３は、図示はしないが管体１１内の収容空間１１１を覆うように管体１１内側の壁面に設けたり、或いは第１チャンバ１１１１及び第２チャンバ１１１２を覆うように管体１１内側の壁面に設けても良い。
【００３０】
前記第２毛細構造３は、例えば、焼結粉末体と、複数の溝との何れか１つを用いて構成されたものであり、本実施例は、焼結粉末体として実施例を説明するが、これに限定されるものではない。尚、前記焼結粉末体の粉末は、例えば、銅質粉末と、アルミ質粉末との何れかであり、本実施例は、銅質粉末として説明するが、これに限定されるものではない。
【００３１】
従って、第４実施例によれば、第２毛細構造３を管体１１内側の壁面に設けて構成した場合でも、前記第１実施例と同様の効果が得られる。
【００３２】
（第５実施例）
図９は、本考案の第５実施例に係る薄型熱管構造の管体の断面図である。  
尚、図９は、前記第１実施例と同一の構成要素については同一の符号を付して説明を省略し、異なる部分のみを説明する。
【００３３】
第５実施例に係る薄型熱管構造１は、前記第１実施例の薄型熱管構造の構成要素の他に、更に第２毛細構造３を有して構成される。
【００３４】
図９に示すように、前記第２毛細構造３は、図８に示す前記第４実施例と同様に、前記管体１１内側の壁面に設けられている。尚、第２毛細構造３は、図示はしないが管体１１内の収容空間１１１を覆うように管体１１内側の壁面に設けたり、或いは第１チャンバ１１１１及び第２チャンバ１１１２を覆うように管体１１内側の壁面に設けても良い。
【００３５】
前記第２毛細構造３は、焼結粉末体ではなく、複数の溝を用いて構成されたものである。勿論、前記第２毛細構造３は、焼結粉末体を用いて構成しても良い。尚、本実施例は、複数の溝を用いて構成した実施例について説明したが、これに限定されるものではない。
【００３６】
従って、第５実施例によれば、複数の溝で構成した第２毛細構造３を管体１１内側の壁面に設けて構成した場合でも、前記第１実施例と同様の効果が得られる。
【００３７】
（第６実施例）
図１０〜図１２は、本考案の第６実施例に係り、図１０は、第６実施例に係る薄型熱管構造の管体の断面図、図１１は、第６実施例に係る薄型熱管構造の第１毛細構造の平面図、図１２は、第６実施例に係る薄型熱管構造の第３毛細構造の平面図である。  
尚、図１０〜図１２は、前記第２実施例と同一の構成要素については同一の符号を付して説明を省略し、異なる部分のみを説明する。
【００３８】
第６実施例に係る薄型熱管構造１は、前記第１実施例の薄型熱管構造の構成要素の他に、更に第３毛細構造１４を有して構成される。即ち、本実施例の薄型熱管構造１は、第１毛細構造１３（図１０では１３１と記載）と、第３毛細構造１４とを有する。
【００３９】
図１０に示すように、前記第１毛細構造１３は、前記第１支持体１２の一側に貼付される。一方、前記第３毛細構造１４は、前記第１支持体１２の前記第１毛細構造１３を有する他側に貼付される。
【００４０】
前記第３毛細構造１４は、例えば、焼結粉末体と、メッシュ体と、繊維体と、発泡体との何れか１つを用いて構成されたものである。  
尚、本実施例では、前記第３毛細構造１４は、メッシュ体として説明するが、これに限定されるものではない。  
メッシュ体を用いて構成した場合、前記第３毛細構造４は、複数のメッシュ１４１を有して構成される。
【００４１】
前記第３毛細構造１４のメッシュ１４１の網目は、図１０に示すように、第１支持体１２のメッシュ１２１の網目よりも大きく形成されている。  
本実施例では、前記第１支持体１２のメッシュ１２１の網目分布方式は、図１１に示すように、局部が大きな網目であるものと、局部が小さな網目であるものとを交互に配設して設置することもできる。また、前記第３毛細構造１４のメッシュ１４１の網目分布方式は、局部が大きな網目であるものと、局部が小さな網目であるものとを交互に配設して設置することもできる。
【００４２】
また、第３毛細構造１４は、図示はしないが管体１１内の収容空間１１１を覆うように管体１１内部の壁面に設けたり、或いは第１チャンバ１１１１及び第２チャンバ１１１２を覆うように管体１１内側の壁面に設けても良い。
【００４３】
従って、第６実施例によれば、前記第１支持体１２の前記第１毛細構造１３を有する他側に第３毛細構造１４を貼付して構成した場合でも、前記第２実施例と同様の効果が得られる。
【００４４】
本考案は、以上述べた実施例に限定されるものではなく、考案の要旨を逸脱しない範囲で種々変形、組合せ等実施可能である。
【符号の説明】
【００４５】
１…薄型熱管構造
１１…管体
１１１…収容空間
１１１１…第1チャンバ
１１１２…第２チャンバ
１１２…第１シールエッジ
１１３…第２シールエッジ
１２…第１支持体
１２１…メッシュ
１３…第１毛細構造
１４…第３毛細構造
１４１…メッシュ
２…作動流体
３…第２毛細構造
【図１】
0003170525.tif 000003
【図２】
0003170525.tif 000004
【図３】
0003170525.tif 000005
【図４】
0003170525.tif 000006
【図５】
0003170525.tif 000007
【図６】
0003170525.tif 000008
【図７】
0003170525.tif 000009
【図８】
0003170525.tif 000010
【図９】
0003170525.tif 000011
【図１０】
0003170525.tif 000012
【図１１】
0003170525.tif 000013
【図１２】
0003170525.tif 000014
【手続補正書】
【提出日】平成23年7月20日(2011.7.20)
【手続補正１】
【補正対象書類名】明細書
【補正対象項目名】００１１
【補正方法】変更
【補正の内容】
【００１１】
上記の目的を達成するため、本考案に係る薄型熱管構造は、管体と第１支持体とを備え、前記管体は内部に収納空間を有してこの収納空間内に前記第１支持体が設定され、前記管体の両端に前記収納空間を封止する第１シールエッジ及び第２シールエッジを設けると共に、前記収納空間内に作動流体を充填している。
【手続補正２】
【補正対象書類名】実用新案登録請求の範囲
【補正対象項目名】全文
【補正方法】変更
【補正の内容】
【実用新案登録請求の範囲】
【請求項１】
管体と第１支持体とを備え、前記管体は内部に収納空間を有してこの収納空間内に前記第１支持体が設定され、前記管体の両端に前記収納空間を封止する第１シールエッジ及び第２シールエッジを設けると共に、前記収納空間内に作動流体を充填したことを特徴とする薄型熱管構造。
【請求項２】
第１毛細構造を有し、この第１毛細構造は前記管体の収納空間内において前記第１支持体に貼付されていると共に、この第１支持体及び第１毛細構造は前記収納空間内に第１チャンバ及び第２チャンバを形成していることを特徴とする請求項１に記載の薄型熱管構造。
【請求項３】
前記管体は扁平状を呈することを特徴とする請求項１に記載の薄型熱管構造。
【請求項４】
前記第１毛細構造は、焼結粉末体と、メッシュ体と、繊維体と、発砲体との何れか一つであることを特徴とする請求項２に記載の薄型熱管構造。
【請求項５】
前記管体内側の壁面に第２毛細構造を設け、この第２毛細構造は焼結粉末体と複数の溝の何れかであることを特徴とする請求項１に記載の薄型熱管構造。
【請求項６】
前記第１支持体を覆う第１毛細構造を有することを特徴とする請求項１に記載の薄型熱管構造。
【請求項７】
前記支持体は、メッシュ体と、表面に凹凸を有する板体と、波浪板体との何れか一つであることを特徴とする請求項１に記載の薄型熱管構造。
【請求項８】
前記第１毛細構造は、前記第１支持体の一側に貼付され、前記収納空間が更に第３毛細構造を有し、
前記第３毛細構造は、前記第１支持体の前記第１毛細構造を有する他側に貼付され、焼結粉体と、メッシュ体と、繊維体と、発泡体との何れか一つであることを特徴とする請求項６に記載の薄型熱管構造。